(57)【要約】【課題】  必要な方式でエンコードした圧縮音声を出力するためには１つのエンコーダで良く、複数のＤＳＰは不要になり、また、記憶媒体の容量が少なくて済み、コストを少なく出来るシステムを提供する。【解決手段】  音声信号を記録媒体１に記録するとともに、複数の圧縮方式のいずれかの方式で圧縮した音声信号を出力する信号処理装置において、入力された圧縮音声信号をデコード５し非圧縮音声信号として記録媒体１に記録し、所定の圧縮方式でエンコード８して出力する。入力されたアナログ音声信号をデジタル変換し非圧縮音声信号として記録媒体１に記録し、所定の圧縮方式でエンコード８して出力する。【選択図】      図１
2006209841.tif 000002
【特許請求の範囲】
【請求項１】
音声信号を記録媒体に記録するとともに、複数の圧縮方式のいずれかの方式で圧縮した音声信号を出力する信号処理装置において、
入力された圧縮音声信号をデコードし非圧縮音声信号として記録媒体に記録し、所定の圧縮方式でエンコードして出力することを特徴とする信号処理装置。
【請求項２】
音声信号を記録媒体に記録するとともに、複数の圧縮方式のいずれかの方式で圧縮した音声信号を出力する信号処理装置において、
入力されたアナログ音声信号をデジタル変換し非圧縮音声信号として記録媒体に記録し、所定の圧縮方式でエンコードして出力することを特徴とする信号処理装置。
【請求項３】
エンコードおよびデコードを同一のＤＳＰで行い、必要なエンコードプログラムまたはデコードプログラムをその都度ロードして行なう請求項１又は２記載の信号処理装置。
【発明の詳細な説明】
【技術分野】
【０００１】
本発明は、音声信号の圧縮方式を複数有し、いずれかの方式で圧縮した音声信号を出力する信号処理装置に関する。
【背景技術】
【０００２】
従来の技術としては、例えば特許文献１のように、複数の圧縮方式で同時にエンコードしたデータを記録媒体に記録しておき、要求が有った圧縮方式を出力する方法が有る。しかしながら、同時にエンコードを行うために複数のエンコーダが同時に必要になり、複数のＤＳＰが必要になる。また、複数のエンコードデータを格納するため、記憶媒体の容量を大きくしなければならなくなり、システムのコストが大きくなると言う欠点が有った。
【０００３】
図２に従来例を示す。音声信号入力回路１５から入力したアナログ音声信号はＡＤＣ１４でデジタル音声信号に変換され、音声エンコーダ１３に入力する。音声エンコーダ１３では、ＭＰＥＧ１レイヤ２、ＡＡＣ、ＡＣ３、ＭＰ３の各方式で音声データがエンコードされ、ＨＤＤドライブ部１２でそれぞれハードディスク１１に記録される。
【０００４】
出力時は、ＵＳＢ信号処理部１６、またはＩＥＥＥ１３９４信号処理部１７から指示された圧縮方式でエンコードされた圧縮音声データ、例えばＭＰ３が選択され、ＨＤＤドライブ部１２によりハードディスク１１から再生され、ＵＳＢ信号処理部１６、またはＩＥＥＥ１３９４信号処理部１７にそれぞれ出力される。
【特許文献１】特開２００４−１１８９８６号公報
【発明の開示】
【発明が解決しようとする課題】
【０００５】
複数の圧縮方式で同時にエンコードしたデータを記録媒体に記録しておき、要求が有った圧縮方式を出力する方法では、同時にエンコードを行うために複数のエンコーダが同時に必要になり、複数のＤＳＰが必要になる。また、複数のエンコードデータを格納するため、記憶媒体の容量を大きくしなければならなくなり、システムのコストが大きくなると言う欠点が有った。
【課題を解決するための手段】
【０００６】
本発明は、従来の問題を解決するものであり、入力された圧縮音声信号をデコードし、非圧縮音声信号として、あるいは、入力されたアナログ音声信号をデジタル変換し、非圧縮音声信号として記録媒体に記録し、所定の圧縮方式でエンコードして出力する、という方法を用いる。
【０００７】
すなわち、本発明は、音声信号を記録媒体に記録するとともに、複数の圧縮方式のいずれかの方式で圧縮した音声信号を出力する信号処理装置において、入力された圧縮音声信号をデコードし非圧縮音声信号として記録媒体に記録し、所定の圧縮方式でエンコードして出力する信号処理装置である。
【０００８】
また、本発明は、音声信号を記録媒体に記録するとともに、複数の圧縮方式のいずれかの方式で圧縮した音声信号を出力する信号処理装置において、入力されたアナログ音声信号をデジタル変換し非圧縮音声信号として記録媒体に記録し、所定の圧縮方式でエンコードして出力する信号処理装置である。
【０００９】
そして、本発明は、エンコードおよびデコードを同一のＤＳＰで行い、必要なエンコードプログラムまたはデコードプログラムをその都度ロードして行なう信号処理装置である。
【００１０】
本発明の作用としては、非圧縮音声信号として記録媒体に記録し、必要な方式でエンコードを行うために１つのエンコーダで良く、複数のＤＳＰは不要になる。また、１種の非圧縮データのみなので複数のエンコードデータを格納する必要が無くなるため、記憶媒体の容量が少なくて済み、システムのコストを少なく出来る。
【発明の効果】
【００１１】
本発明によれば、必要な方式でエンコードした圧縮音声を出力するためには１つのエンコーダで良く、複数のＤＳＰは不要になる。また、１種の非圧縮データのみなので複数のエンコードデータを格納する必要が無くなるため、記憶媒体の容量が少なくて済み、システムのコストを少なく出来る。
【発明を実施するための最良の形態】
【００１２】
本発明を実施するための最良の形態を説明する。
本発明の信号処理装置の実施例について、図面を用いて説明する。
【実施例】
【００１３】
実施例を説明する。図１は本実施例の信号処理装置の説明図である。１はハードディスク、２はハードディスク１をドライブし、データの記録および再生を行なうＨＤＤドライブ部、３はアナログ音声信号をデジタル音声信号に変換するＡＤＣ、４は音声信号入力回路、５は音声信号デコード処理部、６はインターネットから圧縮音声信号をダウンロードするインターネットダウンロード処理部、７は音声信号のエンコードプログラムおよびデコードプログラムを格納するフラッシュＲＯＭ、８は音声信号エンコード処理部、９はＵＳＢ信号処理部、１０はＩＥＥＥ１３９４信号処理部である。
【００１４】
実施例の信号処理装置の記録時の動作を説明する。音声信号入力回路４から入力したアナログ音声信号は、ＡＤＣ３でデジタル音声信号に変換され、ＨＤＤドライブ部２によりハードディスク１に記録される。また、インターネットダウンロード処理部６でダウンロードされた圧縮音声信号は、音声信号デコード処理部５でデコードされ、非圧縮音声信号としてＨＤＤドライブ部２によりハードディスク１に記録される。音声デコード処理部５ではフラッシュＲＯＭ７に格納された音声コーデックプログラムから、該デコードに必要な方式のデコードプログラムをロードすることにより入力された圧縮音声をデコードする。
【００１５】
実施例の信号処理装置の再生時の動作を説明する。ハードディスク１からＨＤＤドライブ部２により再生された非圧縮音声データは音声信号エンコード処理部８で、ＵＳＢ信号処理部９またはＩＥＥＥ１３９４信号処理部１０に外部から要求された圧縮方式でエンコードされ、ＵＳＢ信号処理部９またはＩＥＥＥ１３９４信号処理部１０から圧縮音声として出力される。音声信号エンコード処理部８ではフラッシュＲＯＭ７に格納された音声コーデックプログラムから、該エンコードに必要な方式のエンコードプログラムをロードすることにより入力された非圧縮音声をエンコードする。
【００１６】
なお、本実施例の信号処理装置における音声信号デコード処理部５と音声信号エンコード処理部８は、同一のＤＳＰ（デジタル信号処理）を用いる。
【図面の簡単な説明】
【００１７】
【図１】実施例の信号処理装置の説明図。
【図２】従来例の信号処理装置の説明図。
【符号の説明】
【００１８】
１，１１  ハードディスク
２，１２  ＨＤＤドライブ部
３，１４  ＡＤＣ
４，１５  音声信号入力回路
５  音声信号デコード処理部
６  インターネットダウンロード処理部
７  フラッシュＲＯＭ
８  音声信号エンコード処理部
９，１６  ＵＳＢ信号処理部
１０，１７  ＩＥＥＥ１３９４信号処理部
１３  音声エンコーダ部
【図１】
2006209841.tif 000003
【図２】
2006209841.tif 000004